(57)【要約】【課題】電気接続箱などの取り付け対象物が大型化することを防止できる回路遮断装置を提供する。【解決手段】回路遮断装置１は電気接続箱１のコネクタ９に着脱自在である。回路遮断装置１はコネクタ９に嵌合可能なコネクタ２０とレバー２１とを備えている。レバー２１はコネクタ２０に対し回転自在でこのコネクタ２０に対し回転することでコネクタ２０をコネクタ９に着脱させる回転許容位置とコネクタ２０に対する回転が規制される回転規制位置とに亘ってスライド自在である。レバー２１のスライド方向はコネクタ２０，９が互いに着脱する際にこれらが相対的に移動する方向と平行である。【選択図】図１
2005203252.tif 000002
【特許請求の範囲】
【請求項１】
相手側のコネクタに着脱自在であるとともに、この相手側のコネクタに取り付けられると、該相手側のコネクタの端子金具同士を電気的に接続する回路遮断装置において、
前記相手側のコネクタと着脱するコネクタと、
前記コネクタに対し回転することが許容され、かつ前記コネクタに対し回転することで前記コネクタを前記相手側のコネクタと着脱させる回転許容位置と、前記コネクタに対し回転することが規制され、かつ前記コネクタと相手側のコネクタとが着脱することを規制する回転規制位置と、に亘って、前記コネクタにスライド自在に支持されたレバーと、を備え、
前記回転許容位置と前記回転規制位置とに亘って前記レバーがスライドする方向が、前記相手側のコネクタと前記コネクタとが着脱する際にこれらのコネクタが相対的に移動する方向と平行であることを特徴とする回路遮断装置。
【請求項２】
前記回転許容位置で、前記レバーは、前記コネクタに重なる状態と、前記コネクタから立設する状態とに亘って回転するとともに、
前記レバーが前記コネクタから立設すると、前記コネクタが前記相手側のコネクタから取り外されるとともに、前記レバーが前記コネクタに重なると、前記コネクタが前記相手側のコネクタと嵌合することを特徴とする請求項１記載の回路遮断装置。
【請求項３】
前記回転規制位置の前記レバーは、前記回転許容位置より前記コネクタに近づくことを特徴とする請求項１又は請求項２記載の回路遮断装置。
【発明の詳細な説明】
【技術分野】
【０００１】
本発明は、相手側のコネクタと着脱自在でかつこの相手側のコネクタから取り外されると、電気自動車やハイブリット車などの電源回路を切断する回路遮断装置に関する。
【背景技術】
【０００２】
従来、例えば、電気自動車（ハイブリッド車を含む）の電源回路には、電気接続箱などに回路遮断装置（例えば、特許文献１参照）が着脱自在なコネクタ（以下、相手側のコネクタと呼ぶ）を設けている。回路遮断装置は、相手側のコネクタと着脱自在でかつこの相手側のコネクタから取り外されると、前述した電源回路を切断する。回路遮断装置は、前述した電源回路などを作業者がメンテナンスする際等に、前述した相手側のコネクタから取り外されて、前記電源回路を切断して、作業員の感電を防止する。
【０００３】
前述した特許文献１などに記載された回路遮断装置は、前述した相手側のコネクタと着脱（嵌合）自在なコネクタと、このコネクタに支持されたレバーと、を備えている。レバーは、前記コネクタに対し回転することが許容される回転許容位置と、前記コネクタに対し回転することが規制される回転規制位置と、に亘ってスライド自在である。
【０００４】
回転許容位置では、レバーは、コネクタに対し回転することでコネクタと相手側のコネクタとを着脱させる。回転規制位置では、レバーは、コネクタと相手側のコネクタとを互いに嵌合したままに保つ、又はコネクタと相手側のコネクタとが互いに嵌合しないようにする。即ち、回転規制位置では、レバーは、コネクタと相手側のコネクタとが互いに着脱することを規制する。
【０００５】
前述した特許文献１などに記載された回路遮断装置のレバーは、前記コネクタと相手側のコネクタとが互いに嵌合する際にこれらのコネクタが互いに近づく方向に対し直交（交差）する方向に沿って、スライドして、前述した回転許容位置と回転規制位置とに亘って移動する。
【特許文献１】特開２００３−１００３８２号公報
【発明の開示】
【発明が解決しようとする課題】
【０００６】
前述した回路遮断装置は、レバーが、前記コネクタと相手側のコネクタとが互いに近づく方向に対し直交（交差）する方向に沿ってスライドする。このため、回路遮断装置が嵌合する相手側のコネクタを電気接続箱などの取り付け対象物に設けると、レバーの移動軌跡が相手側のコネクタより取り付け対象物の上方にはみ出ることとなる。このため、レバーの移動軌跡の範囲内には、取り付け対象物に装着されるリレー等の各種の部品を設けることができない。このため、電気接続箱などの取り付け対象物が大型化する傾向であった。
【０００７】
したがって、本発明の目的は、電気接続箱などの取り付け対象物が大型化することを防止できる回路遮断装置を提供することにある。
【課題を解決するための手段】
【０００８】
上記課題を解決し目的を達成するために、請求項１に記載の本発明の回路遮断装置は、相手側のコネクタに着脱自在であるとともに、この相手側のコネクタに取り付けられると、該相手側のコネクタの端子金具同士を電気的に接続する回路遮断装置において、前記相手側のコネクタと着脱するコネクタと、前記コネクタに対し回転することが許容され、かつ前記コネクタに対し回転することで前記コネクタを前記相手側のコネクタと着脱させる回転許容位置と、前記コネクタに対し回転することが規制され、かつ前記コネクタと相手側のコネクタとが着脱することを規制する回転規制位置と、に亘って、前記コネクタにスライド自在に支持されたレバーと、を備え、前記回転許容位置と前記回転規制位置とに亘って前記レバーがスライドする方向が、前記相手側のコネクタと前記コネクタとが着脱する際にこれらのコネクタが相対的に移動する方向と平行であることを特徴としている。
【０００９】
請求項２に記載の本発明の回路遮断装置は、請求項１に記載の回路遮断装置において、前記回転許容位置で、前記レバーは、前記コネクタに重なる状態と、前記コネクタから立設する状態とに亘って回転するとともに、前記レバーが前記コネクタから立設すると、前記コネクタが前記相手側のコネクタから取り外されるとともに、前記レバーが前記コネクタに重なると、前記コネクタが前記相手側のコネクタと嵌合することを特徴としている。
【００１０】
請求項３に記載の本発明の回路遮断装置は、請求項１又は請求項２に記載の回路遮断装置において、前記回転規制位置の前記レバーは、前記回転許容位置より前記コネクタに近づくことを特徴としている。
【００１１】
請求項１に記載の本発明の回路遮断装置によれば、レバーが、回転許容位置と回転規制位置とに亘って、相手側のコネクタとコネクタとが嵌合する際にこれらのコネクタが相対的に移動する方向と平行にスライドする。このため、レバーの移動軌跡が相手側のコネクタより、回路遮断装置が取り付けられる取り付け対象物の上方にはみ出ることがない。
【００１２】
請求項２に記載の本発明の回路遮断装置によれば、レバーがコネクタに重なる状態ではコネクタが相手側のコネクタと嵌合し、レバーがコネクタに立設する状態ではコネクタが相手側のコネクタから取り外される。このため、レバーの姿勢により、容易にコネクタと相手側のコネクタとが嵌合しているか否かを認識できる。
【００１３】
請求項３に記載の本発明の回路遮断装置によれば、回転許容位置より回転規制位置で、レバーはコネクタに近づく。このため、回転規制位置のレバーに他の機器がぶつかるなどして、レバーが回転規制位置から回転許容位置に向かって不意に移動することを防止できる。
【００１４】
また、レバーを回転してコネクタと相手側のコネクタとを嵌合させた後、さらにレバーをコネクタに近づけることで、レバーが回転することを規制できる。さらに、コネクタが相手側のコネクタと嵌合した状態で、レバーをコネクタから離して、レバーを回転することで、コネクタ同士を分離できる。
【発明の効果】
【００１５】
以上説明したように請求項１に記載の本発明は、レバーの移動軌跡が相手側のコネクタより、回路遮断装置が取り付けられる取り付け対象物の上方にはみ出ることがない。このため、相手側のコネクタの近傍にも、該相手側のコネクタを設けた回路遮断装置の取り付け対象物の各種の部品を設けることができる。したがって、回路遮断装置の取り付け対象物の小型化を図ることができる。
【００１６】
請求項２に記載の本発明は、レバーの姿勢により、容易にコネクタと相手側のコネクタとが嵌合しているか否かを認識できる。したがって、容易に回路遮断装置が取り付けられている状態を認識できる。
【００１７】
請求項３に記載の本発明は、レバーを回転してコネクタと相手側のコネクタとを嵌合させた後、さらにレバーをコネクタに近づけることで、レバーが回転することを規制できる。即ち、回路遮断装置が相手側のコネクタから脱落することを防止できる。このため、回転規制位置のレバーに他の機器がぶつかるなどして、レバーが回転規制位置から回転許容位置に向かって不意に移動することを防止できる。したがって、コネクタが不意に相手側のコネクタから脱落することを防止できる。
【００１８】
レバーを回転してコネクタと相手側のコネクタとを嵌合させた後、さらにレバーをコネクタに近づけることで、レバーが回転することを規制できる。即ち、回路遮断装置が相手側のコネクタから脱落することを防止できる。
【００１９】
また、コネクタが相手側のコネクタと嵌合した状態で、レバーをコネクタから離して、レバーを回転することで、コネクタ同士を分離できる。したがって、回路遮断装置を確実に相手側のコネクタ即ち取り付け対象物から取り外すことができる。
【発明を実施するための最良の形態】
【００２０】
以下、本発明の一実施形態にかかる回路遮断装置を、図１ないし図１２に基づいて説明する。図１に示す回路遮断装置１は、図１２に示す取り付け対象物としての電気接続箱２に取り付けられる。電気接続箱２は、自動車としての電気自動車やハイブリット車（電動機とエンジンとの双方で走行可能な自動車）に搭載されて、該電気自動車やハイブリット車の車体を構成するパネルなどに取り付けられる。
【００２１】
電気接続箱２は、電気自動車やハイブリット車の電源回路を構成している（即ち、電源としての電池などと電気的に接続している）。電気接続箱２は、図１２に示すように、外側ケース３と、図示しない配線盤などを備えている。
【００２２】
外側ケース３は、合成樹脂からなり箱状に形成されている。外側ケース３には、部品としてのリレー４やヒューズ５を装着する装着部６が複数設けられているとともに、前述した電気自動車やハイブリット車などの搭載される各種の電子機器と接続するためのコネクタ７及び端子台８が設けられている。図示例では、コネクタ７及び端子台８は、電子機器としての電池、インバータ、ＤＣ／ＤＣコンバータなどと接続する。
【００２３】
また、外側ケース３には、回路遮断装置１を取り付けるためのコネクタ９（図４などに示す）が設けられている。このコネクタ９は、本明細書に記した相手側のコネクタをなしている。コネクタ９は、図４及び図５などに示すように、ハウジング１０と、複数の端子金具１１とを備えている。ハウジング１０は、絶縁性の合成樹脂からなり筒状に形成されている。ハウジング１０は、外側ケース３から立設しているとともに、該外側ケース３と一体に形成されている。
【００２４】
ハウジング１０には、カム突起１２（図３などに示す）と、端子収容室１３（図４及び図５に示す）とが設けられている。カム突起１２は、ハウジング１０の外面から該ハウジング１０の外方向に向かって凸に形成されている。カム突起１２の平面形状は、丸形に形成されている。端子収容室１３は、ハウジング１０内に設けられた空間であり、直線状に延びている。複数の端子収容室１３は、互いと平行に配されている。端子収容室１３は、外側ケース３の外面に直交（交差）する方向に沿って延びている。端子収容室１３の両端は、開口している。このため、端子収容室１３即ちハウジング１０は、外側ケース３の内側と外側とを連通している。
【００２５】
端子金具１１は、図示例では、四つ設けられている。端子金具１１は、導電性の金属からなり、図４及び図５に示すように、電線接続部１４と、電気接触部１５とを一体に備えている。電線接続部１４は、電線１６と電気的及び機械的に接続する。電気接触部１５は、筒状に形成されており、内側に弾性ばね片１７を設けている。弾性ばね片１７は、電気接触部１５内に侵入した回路遮断装置１の後述のタブ２９を電気接触部１５の内面に向かって押し付けて、該タブ２９と電気的及び機械的に接続する。電気接触部１５は、前述したタブ２９と電気的及び機械的に接続する。
【００２６】
前述した構成の端子金具１１は、電気接触部１５が外側ケース３即ち電気接続箱２の外側に位置し、電線接続部１４が外側ケース３即ち電気接続箱２の内側に位置した格好で、端子収容室１３内に収容されている。また、複数の端子金具１１は、ハウジング１０の端子収容室１３に収容されると、互いと平行になる。
【００２７】
配線盤は、互いに積層された導電性のバスバと、これらのバスバ間に配された絶縁性の基板などを備えている。バスバは、前述したコネクタ７及び端子台８と装着部６と前述した各端子金具１１の電線接続部１４に接続された電線１６と、を予め定められるパターンにしたがって接続している。基板は、バスバ同士が導通することを防止する。配線盤は、バスバが前述したコネクタ７及び端子台８と装着部６と電線１６とを予め定められるパターンにしたがって接続することで、前述したハイブリット車などの電池、インバータ、ＤＣ／ＤＣコンバータなどの電子機器と、前述したヒューズ５やリレー４などの部品と、回路遮断装置１とを、予め定められるパターンにしたがって、電気的に接続する。こうすることで、電気接続箱２は、前述した電気自動車やハイブリット車などの電源回路を構成する。
【００２８】
回路遮断装置１は、後述のコネクタ２０が前述したコネクタ９と嵌合して、電気接続箱２に取り付けられる。回路遮断装置１は、電気接続箱２に取り付けられると、前述した電池からの電力が前述した各電子機器とヒューズ５やリレー４などの部品とに供給されることを許容する。即ち、回路遮断装置１は、電気接続箱２に取り付けられると、前述した電源回路を導通する。
【００２９】
また、回路遮断装置１は、コネクタ２０と前述したコネクタ９との嵌合が解除されて、電気接続箱２から取り外される。回路遮断装置１は、電気接続箱２から取り外されると、前述した電池からの電力が電子機器とヒューズ５やリレー４などの部品とに供給されることを規制する。即ち、回路遮断装置１は、電気接続箱２から取り外されると、前述した電源回路を切断する。このように、回路遮断装置１は、コネクタ９即ち電気接続箱２と着脱自在で、このコネクタ９即ち電気接続箱２から取り外されると、前述した電源回路を切断する。
【００３０】
回路遮断装置１は、図１ないし図５に示すように、コネクタ２０と、レバー２１とを備えている。このコネクタ２０は、本明細書の特許請求の範囲に記載したコネクタをなしている。コネクタ２０は、図４及び図５に示すように、ハウジング２２と、複数の端子金具２３とを備えている。
【００３１】
ハウジング２２は、絶縁性の合成樹脂からなり、底板部２４と、外側筒部２５とを一体に備えて、有底筒状に形成されている。底板部２４は、平板状に形成されている。外側筒部２５は、底板部２４の外縁に連なりこの底板部２４の外縁から立設している。また、ハウジング２２には、図１ないし図３に示すように、回転突起２６が設けられている。回転突起２６は、外側筒部２５の外面から該外側筒部２５の外方向に向かって凸に形成されている。回転突起２６の平面形状は、長手方向が後述の矢印Ｋに沿いかつ長手方向の両端が曲線の矩形状に形成されている。
【００３２】
ハウジング２２即ちコネクタ２０は、内側にコネクタ９のハウジング１０を収容して、該コネクタ９と嵌合する。このとき、コネクタ２０，９は、前述したハウジング２２，１０の壁面、タブ２９及び端子金具１１の長手方向と平行な矢印Ｋに沿って、互いに接離して、嵌合したり嵌合が解除される。なお、接離とは、互いに近づいたり、離れることをいう。また、矢印Ｋは、本明細書に記したコネクタ２０，９同士の嵌合方向即ちコネクタ２０とコネクタ９とが互いに着脱する際に、これらのコネクタ２０，９が相対的に移動する方向（接離する方向）をなしている。
【００３３】
さらに、ハウジング２２には、コネクタ２０，９が矢印Ｋに沿って互いに接離して、互いに着脱する際に、カム突起１２が通る切欠き２７（図８などに示す）が設けられている。
【００３４】
端子金具２３は、導電性の厚手の板金からなる。端子金具２３は、図示例では、一対（即ち２つ）設けられている。端子金具２３は、それぞれ、平板状の埋設部２８と、一対のタブ２９とを備えている。埋設部２８は、ハウジング２２の底板部２４内に埋設されている。
【００３５】
タブ２９は、埋設部２８から立設しており、底板部２４を突き抜けて、外側筒部２５の内側即ちハウジング２２の内側に底板部２４から突出している。タブ２９は、ハウジング２２即ちコネクタ２０が、ハウジング１０即ち相手側のコネクタとしてのコネクタ９と嵌合すると、端子金具１１の電気接触部１５内に侵入する。回路遮断装置１は、コネクタ２０，９同士が嵌合すると、端子金具２３のタブ２９が端子金具１１の電気接触部１５内に侵入して、互いに隣り合う一対の端子金具１１同士を電気的及び機械的に接続する。
【００３６】
レバー２１は、絶縁性の合成樹脂からなり、互いに間隔をあけて平行に配された一対のアームプレート部３０（図５などに示す）と、これら一対のアームプレート部３０を互いに連結する操作部３１（図４などに示す）とを一体に備えている。アームプレート部３０は、それぞれ、板状に形成されかつハウジング２２の回転突起２６が設けられた外壁上に重ねられる。
【００３７】
アームプレート部３０には、図１及び図３に示すように、回転用孔３２と、着脱用孔３３とが貫通している。回転用孔３２は、コネクタ２０，９が互いに嵌合した状態で、図１及び図３などに示すように、前述した矢印Ｋに沿って、直線状に延びている。回転用孔３２内には、前述した回転突起２６が係合する。回転用孔３２の図１中下方に位置する（相手側のコネクタとしてのコネクタ９寄りの）の一端部３２ａは、回転突起２６が回転することを許容し、回転用孔３２の図１中上方に位置する（相手側のコネクタとしてのコネクタ９から離れた側の）の他端部３２ｂは、回転突起２６が回転することを規制する。
【００３８】
このため、レバー２１は、回転用孔３２の一端部３２ａ内に回転突起２６が位置すると、コネクタ２０に対し回転自在となるとともに、回転用孔３２の他端部３２ｂ内に回転突起２６が位置すると、コネクタ２０に対し回転自在することが規制される。
【００３９】
図６に示すように、回転用孔３２の一端部３２ａに回転突起２６が位置した状態は、レバー２１のコネクタ２０に対する回転が許容される回転許容位置をなしている。また、図３に示すように、回転用孔３２の他端部３２ｂに回転突起２６が位置した状態は、レバー２１のコネクタ２０に対する回転が規制される回転規制位置をなしている。また、回転用孔３２が、前述した矢印Ｋに沿って延びているため、回転許容位置と回転規制位置とに亘ってレバー２１がスライドする方向は、矢印Ｋと平行になっている。
【００４０】
着脱用孔３３は、回転用孔３２より相手側のコネクタとしてのコネクタ９寄りに配されている。着脱用孔３３は、直線部３４と、曲線部３５とを備えている。直線部３４は、回転用孔３２と平行に（矢印Ｋに沿って）、直線状に延びている。曲線部３５は、円弧状に形成されており、直線部３４の図１中下方に位置する一端部３４ａからアームプレート部３０の外縁に向かって延びている。このため、曲線部３５の曲率は、直線部３４からアームプレート部３０の外縁に向かうにしたがって徐々に小さくなっているとともに、曲線部３５の曲率半径は、直線部３４からアームプレート部３０の外縁に向かうにしたがって徐々に大きくなっている。さらに、曲線部３５は、アームプレート部３０の外縁に開口している。
【００４１】
前述した着脱用孔３３内には、カム突起１２が侵入する。着脱用孔３３の直線部３４の図１中下方に位置する（相手側のコネクタとしてのコネクタ９寄りの）一端部３４ａ内にカム突起１２が位置すると、回転用孔３２の一端部３２ａ内に回転突起２６が位置する。また、着脱用孔３３の直線部３４の図１中上方に位置する（相手側のコネクタとしてのコネクタ９から離れた側の）他端部３４ｂ内にカム突起１２が位置すると、回転用孔３２の他端部３２ｂ内に回転突起２６が位置する。
【００４２】
また、回転突起２６が回転用孔３２の一端部３２ａに位置しカム突起１２が着脱用孔３３の直線部３４の一端部３４ａに位置すると即ち回転許容位置では、カム突起１２が着脱用孔３３の曲線部３５内を移動する。こうすることで、レバー２１は、図６に示す操作部３１がコネクタ２０の底板部２４と平行に重なる状態と、図８に示す操作部３１がコネクタ２０の底板部２４と直交するように立設する状態と、に亘って回転する。
【００４３】
また、レバー２１は、図６に示す操作部３１がコネクタ２０の底板部２４と平行に重なる状態と、図８に示す操作部３１がコネクタ２０の底板部２４と直交するように立設する状態との間を越えて回転することがコネクタ２０などにより規制されている。
【００４４】
図４及び図６に示すように、操作部３１がコネクタ２０の底板部２４と平行に重なる状態は、レバー２１がコネクタ２０に重なる状態を示している。また、図８に示すように、操作部３１がコネクタ２０の底板部２４と直交するように立設する状態は、レバー２１がコネクタ２０から立設する状態を示している。このため、回転許容位置で、レバー２１は、コネクタ２０に重なる状態と、コネクタ２０から立設する状態とに亘って回転する。
【００４５】
また、レバー２１の操作部３１がコネクタ２０の底板部２４と平行に重なる状態では、カム突起１２が着脱用孔３３の曲線部３５の直線部３４寄りの端部即ち直線部３４の一端部３４ａに位置する。レバー２１の操作部３１がコネクタ２０の底板部２４と直交するように立設する状態では、カム突起１２が着脱用孔３３の曲線部３５のアームプレート部３０の外縁寄りの端部即ち曲線部３５の開口に位置する。
【００４６】
さらに、曲線部３５が直線部３４の一端部３４ａからアームプレート部３０の外縁に向かって延びているため、レバー２１の操作部３１がコネクタ２０の底板部２４と直交するように立設する状態よりレバー２１の操作部３１がコネクタ２０の底板部２４と平行に重なる状態で、コネクタ２０は、コネクタ９に近づく。このため、レバー２１の操作部３１がコネクタ２０の底板部２４と直交するように立設すると、カム突起１２が着脱用孔３３の曲線部３５の開口に位置して、コネクタ２０が、コネクタ９から離れる。即ち、コネクタ２０，９同士の嵌合が解除される（コネクタ２０が相手側のコネクタとしてのコネクタ９から取り外される）。
【００４７】
また、レバー２１の操作部３１がコネクタ２０の底板部２４と平行に重なると、カム突起１２が着脱用孔３３の直線部３４の一端部３４ａに位置して、コネクタ２０が、コネクタ９に近づく。即ち、コネクタ２０，９同士が嵌合する（コネクタ２０が相手側のコネクタとしてのコネクタ９に嵌合する）。レバー２１は、回転許容位置で、コネクタ２０に対し回転されて、着脱用孔３３の曲線部３５内をカム突起１２が移動することで、コネクタ２０をコネクタ９に着脱する。また、レバー２１は、回転規制位置で、コネクタ２０に対して回転することが規制されて、コネクタ２０がコネクタ９に着脱することを規制する。
【００４８】
このように、レバー２１は、コネクタ２０に対して回転移動（回転自在）で、かつ、直線移動可能（スライド自在）に設けられている。
【００４９】
さらに、前述したアームプレート部３０即ちレバー２１と、コネクタ２０のハウジング２２には、レバー２１の回転に節度感（クリック感）を付与する突起や凹みが設けられている。これらの突起や凹みは、コネクタ２０に重なる状態では、レバー２１をコネクタ２０に重なる状態に保ち、コネクタ２０から立設する状態では、レバー２１をコネクタ２０から立設する状態に保つ。また、前述した突起や凹みは、該レバー２１が回転する際にアームプレート部３０即ちレバー２１を弾性変形させることで、前述した節度感（クリック感）を付与する。
【００５０】
前述した構成の回路遮断装置１は、コネクタ２０がコネクタ９と嵌合した状態即ち電気接続箱２に取り付けられた状態では、図１、図３及び図４に示すように、レバー２１がコネクタ２０に重なり、回転突起２６が回転用孔３２の他端部３２ｂに位置し、カム突起１２が着脱用孔３３の直線部３４の他端部３４ｂに位置している。このように、レバー２１は、回転規制位置に位置付けられている。さらに、コネクタ２０の底板部２４が、コネクタ９のハウジング１０に接触している。
【００５１】
そして、図４及び図５に示すように、タブ２９が電気接触部１５内に侵入して、回路遮断装置１の端子金具２３が、コネクタ９即ち電気接続箱２の端子金具１１のうち互いに隣り合う端子金具１１同士を電気的に接続している。このように、回路遮断装置１は、コネクタ９即ち電気接続箱２に取り付けられると、端子金具１１同士を電気的に接続する。
【００５２】
そして、まず、矢印Ｋに沿って、レバー２１を引き上げる。即ちレバー２１をコネクタ２０から引き離す。すると、図６に示すように、レバー２１がコネクタ２０に平行な状態で、回転突起２６が回転用孔３２の一端部３２ａに位置し、カム突起１２が着脱用孔３３の直線部３４の一端部３４ａに位置する。このように、レバー２１を回転許容位置に位置付ける。この状態では、図７に示すように、タブ２９が電気接触部１５内に侵入して、回路遮断装置１の端子金具２３が、コネクタ９即ち電気接続箱２の端子金具１１のうち互いに隣り合う端子金具１１同士を電気的に接続している。
【００５３】
その後、回転突起２６を中心として、レバー２１を矢印Ｓに沿って、操作部３１がコネクタ２０から離れる方向に、レバー２１がコネクタ２０から立設する状態まで、回転する。すると、カム突起１２が、着脱用孔３３の曲線部３５内を移動して、アームプレート部３０の外縁に向かって徐々に移動する。また、曲線部３５の曲率がアームプレート部３０の外縁に向うにしたがって徐々に小さくなり、曲線部３５の曲率半径がアームプレート部３０の外縁に向うにしたがって徐々に大きくなっているので、カム突起１２がアームプレート部３０の外縁に近づくのにしたがって、徐々にコネクタ２０が、コネクタ９から矢印Ｋに沿って離れる。
【００５４】
そして、図８及び図９に示すように、レバー２１がコネクタ２０から立設した状態に位置付けられる。図８に示す状態では、カム突起１２が着脱用孔３３の曲線部３５の開口に位置している。そして、図８に示すように、コネクタ２０がコネクタ９から離れている。さらに、図９に示すように、コネクタ２０の底板部２４とコネクタ９のハウジング１０とが間隔をあけているとともに、タブ２９が図７に示した状態より端子金具１１の電気接触部１５から抜け出ている。
【００５５】
その後、図１０及び図１１に示すように、矢印Ｋに沿って、回路遮断装置１をコネクタ９から引き離して、コネクタ２０をコネクタ９即ち電気接続箱２から取り外す。そして、回路遮断装置１は、端子金具１１同士の電気的な接続即ち前述した電源回路を切断する。回路遮断装置１は、前述した電源回路を切断して、例えば、前述したリレー４やヒューズ５の着脱などの前述した電源回路などをメンテナンスする際等に、作業員の感電を防止する。
【００５６】
前述した回路遮断装置１をコネクタ９即ち電気接続箱２に取り付ける際には、まず、レバー２１をコネクタ２０から立設した状態にする。そして、図１０及び図１１に示すように、矢印Ｋに沿って、回路遮断装置１のコネクタ２０を電気接続箱２に設けられたコネクタ９と間隔をあけて相対させる。コネクタ２０内にコネクタ９が侵入するように、回路遮断装置１を徐々に電気接続箱２に設けられたコネクタ９に近づける。そして、図８に示すように、カム突起１２を着脱用孔３３の曲線部３５の開口に位置付ける。このとき、図９に示すように、コネクタ２０の端子金具２３のタブ２９が、コネクタ９の端子金具２２の電気接触部１５内に侵入する。
【００５７】
その後、回転突起２６を中心として、操作部３１がコネクタ２０に重なるまでレバー２１を矢印Ｓに沿って回転する。すると、カム突起１２が着脱用孔３３の曲線部３５内を直線部３４に向かって移動する。曲線部３５の曲率及び曲率半径が前述したように形成されているので、カム突起１２が着脱用孔３３の曲線部３５内を直線部３４に向かうにしたがって、コネクタ２０，９が徐々に近づき、タブ２９が電気接触部１５の所定の位置まで侵入する。
【００５８】
そして、図７に示すように、互いに隣り合う端子金具１１同士即ち電線１６同士を回路遮断装置１の端子金具２３が電気的及び機械的に接続する。コネクタ２０，９が互いに嵌合する。また、図６に示すように、カム突起１２が直線部３４の一端部３４ａに位置し、回転突起２６が回転用孔３２の一端部３２ａに位置する。
【００５９】
そして、レバー２１を矢印Ｋに沿って、コネクタ２０に近づけて、図３に示すように、カム突起１２を直線部３４の他端部３４ｂに位置させ、回転突起２６を回転用孔３２の他端部３２ｂに位置させる。こうして、レバー２１を回転規制位置に位置付けて、レバー２１の不意な回転即ち回路遮断装置１の電気接続箱２からの不意な脱落を防止する。
【００６０】
本実施形態によれば、レバー２１が、回転許容位置と回転規制位置とに亘って、コネクタ２０とコネクタ９とが着脱する際に相対的に移動する方向（矢印Ｋ）と平行にスライドする。このため、レバー２１の移動軌跡がコネクタ９より、回路遮断装置１が取り付けられる取り付け対象物としての電気接続箱２の上方にはみ出ることを防止できる。
【００６１】
このため、電気接続箱２のコネクタ９の近傍にも各種の部品を設けることができる。したがって、電気接続箱２などの回路遮断装置１の取り付け対象物の小型化を図ることができる。
【００６２】
レバー２１がコネクタ２０に重なる状態ではコネクタ２０がコネクタ９と嵌合し、レバー２１がコネクタ２０に立設する状態ではコネクタ２０がコネクタ９から取り外される。このため、レバー２１の姿勢により、容易にコネクタ２０とコネクタ９とが嵌合しているか否かを認識できる。したがって、回路遮断装置１が電気接続箱２に取り付けられている状態を容易に認識できる。
【００６３】
回転許容位置より回転規制位置で、レバー２１はコネクタ２０に近づく。このため、回転規制位置のレバー２１に他の機器がぶつかるなどして、レバー２１が回転規制位置から回転許容位置に向かって不意に移動することを防止できる。したがって、コネクタ２０がコネクタ９から不意に脱落することを防止できる。即ち、回路遮断装置１が電気接続箱２から不意に脱落することを防止できる。
【００６４】
また、レバー２１を回転してコネクタ２０とコネクタ９とを嵌合させた後、さらにレバー２１をコネクタ２０に近づけることで、レバー２１が回転することを規制できる。即ち、回路遮断装置１がコネクタ９から脱落することを防止できる。
【００６５】
さらに、コネクタ２０がコネクタ９と嵌合した状態で、レバー２１をコネクタ２０から離して、レバー２１を回転することで、コネクタ２０，９同士を分離できるしたがって、回路遮断装置１を確実にコネクタ９即ち電気接続箱２から取り外すことができる。
【００６６】
前述した実施形態では、回転許容位置から回転規制位置にレバー２１を移動する際に、該レバー２１をコネクタ２０と間隔をあけた状態からコネクタ２０に近づけている。しかしながら、本発明では、回転許容位置と回転規制位置とに亘るレバー２１の移動方向が矢印Ｋと平行であれば、図１３ないし図１６に示すように、回転許容位置から回転規制位置にレバー２１を移動する際に、該レバー２１をコネクタ２０に近づいた状態からコネクタ２０と間隔をあけた状態まで、コネクタ２１から離しても良い。なお、図１３ないし図１６に示す場合において、前述した実施形態と同一部分には、同一符号を付して説明を省略する。
【００６７】
図１３ないし図１６に示す場合では、回転用孔３２の他端部３２ａが回転突起２６即ちレバー２１の回転を許容し、回転用孔３２の一端部３２ａが回転突起２６即ちレバー２１の回転を規制する。また、着脱用孔３３の曲線部３５が直線部３４の他端部３４ｂに連なっている。
【００６８】
回転突起２６が回転用孔３２の他端部３２ｂに位置し、カム突起１２が着脱用孔３３の直線部３４の他端部３４ｂに位置した状態で、レバー２１は、コネクタ２０に対し回転自在であり、前述した回転許容位置に位置している。回転突起２６が回転用孔３２の一端部３２ａに位置し、カム突起１２が着脱用孔３３の直線部３４の一端部３４ａに位置した状態で、レバー２１は、コネクタ２０に対し回転することが規制され、前述した回転規制位置に位置している。
【００６９】
図１３ないし図１６に示す構成の回路遮断装置１は、コネクタ２０がコネクタ９と嵌合した状態即ち電気接続箱２に取り付けられた状態では、図１３に示すように、レバー２１の操作部３１がコネクタ２０の底板部２４と間隔をあけ、回転突起２６が回転用孔３２の一端部３２ａに位置し、カム突起１２が着脱用孔３３の直線部３４の一端部３４ａに位置している。このように、レバー２１は、回転規制位置に位置付けられている。そして、タブ２９が電気接触部１５内に侵入して、回路遮断装置１の端子金具２３が、コネクタ９即ち電気接続箱２の端子金具１１のうち互いに隣り合う端子金具１１同士を電気的に接続している。
【００７０】
そして、まず、矢印Ｋに沿って、レバー２１を押し下げる。即ちレバー２１をコネクタ２０に近づける。すると、図１４に示すように、レバー２１がコネクタ２０に重なり、回転突起２６が回転用孔３２の他端部３２ｂに位置し、カム突起１２が着脱用孔３３の直線部３４の他端部３４ｂに位置する。このように、レバー２１を回転許容位置に位置付ける。
【００７１】
その後、回転突起２６を中心として、レバー２１を矢印Ｓに沿って、操作部３１がコネクタ２０から離れる方向に、レバー２１がコネクタ２０から立設する状態まで、回転する。すると、カム突起１２が、着脱用孔３３の曲線部３５内を移動して、アームプレート部３０の外縁に向かって徐々に移動する。また、曲線部３５の曲率がアームプレート部３０の外縁に向うにしたがって徐々に小さくなり、曲線部３５の曲率半径がアームプレート部３０の外縁に向うにしたがって徐々に大きくなっているので、カム突起１２がアームプレート部３０に外縁に近づくのにしたがって、徐々にコネクタ２０が、コネクタ９から矢印Ｋに沿って離れる。
【００７２】
そして、図１５に示すように、レバー２１がコネクタ２０から立設した状態に位置付けられる。図１５に示す状態では、カム突起１２が着脱用孔３３の曲線部３５の開口に位置している。そして、図１５に示すように、コネクタ２０がコネクタ９から離れている。その後、図１６に示すように、矢印Ｋに沿って、回路遮断装置１をコネクタ９から引き離して、コネクタ２０をコネクタ９即ち電気接続箱２から取り外す。そして、回路遮断装置１は、端子金具１１同士の電気的な接続即ち前述した電源回路を切断する。
【００７３】
図１３ないし図１６に示す構成の回路遮断装置１をコネクタ９即ち電気接続箱２に取り付ける際には、まず、レバー２１をコネクタ２０から立設した状態にする。そして、図１６に示すように、矢印Ｋに沿って、回路遮断装置１のコネクタ２０を電気接続箱２に設けられたコネクタ９と間隔をあけて相対させる。コネクタ２０内にコネクタ９が侵入するように、回路遮断装置１を徐々に電気接続箱２に設けられたコネクタ９に近づける。そして、図１５に示すように、カム突起１２を着脱用孔３３の曲線部３５の開口に位置付ける。このとき、コネクタ２０の端子金具２３のタブ２９が、コネクタ９の端子金具１１の電気接触部１５内に侵入する。
【００７４】
その後、回転突起２６を中心として、操作部３１がコネクタ２０と平行になるまでレバー２１を矢印Ｓに沿って回転する。すると、カム突起１２が着脱用孔３３の曲線部３５内を直線部３４に向かって移動する。曲線部３５の曲率及び曲率半径が前述したように形成されているので、カム突起１２が着脱用孔３３の曲線部３５内を直線部３４に向かうにしたがって、コネクタ２０，９が徐々に近づき、タブ２９が電気接触部１５の所定の位置まで侵入する。
【００７５】
そして、互いに隣り合う端子金具１１同士即ち電線１６同士を回路遮断装置１の端子金具２３が電気的及び機械的に接続する。コネクタ２０，９が互いに嵌合する。また、図１４に示すように、カム突起１２が直線部３４の他端部３４ｂに位置し、回転突起２６が回転用孔３２の他端部３２ｂに位置する。そして、レバー２１を矢印Ｋに沿って、コネクタ９から離して、カム突起１２を直線部３４の一端部３４ａに位置させ、回転突起２６を回転用孔３２の一端部３２ａに位置させる。こうして、レバー２１を回転規制位置に位置付けて、レバー２１の不意な回転即ち回路遮断装置１の電気接続箱２からの不意な脱落を防止する。
【００７６】
図１３ないし図１６に示す構成の回路遮断装置１によれば、前述した実施形態と同様に、レバー２１が、回転許容位置と回転規制位置とに亘って、コネクタ２０とコネクタ９とが着脱する際にこれらが相対的に移動する方向（矢印Ｋ）と平行にスライドする。このため、レバー２１の移動軌跡がコネクタ９より、回路遮断装置１が取り付けられる取り付け対象物としての電気接続箱２の上方にはみ出ることを防止できる。
【００７７】
このため、電気接続箱２のコネクタ９の近傍にも各種の部品を設けることができる。したがって、電気接続箱２などの回路遮断装置１の取り付け対象物の小型化を図ることができる。
【００７８】
前述した図示例では、回転用孔３２と着脱用孔３３とはアームプレート部３０を貫通している。しかしながら、本発明では、回転用孔３２と着脱用孔３３とはアームプレート部３０の表面から凹の溝でも良い。
【００７９】
また、前述した図示例では、回転用孔３２と着脱用孔３３とをアームプレート部３０に設け、回転突起２６をハウジング２２に設け、カム突起１２をハウジング１０に設けている。しかしながら、本発明では、回転用孔３２をハウジング２２に設け、着脱用孔３３をハウジング１０に設け、回転突起２６とカム突起１２とをアームプレート部３０即ちレバー２１に設けても良い。さらに、前述した図示例では、回路遮断装置１を電気接続箱２に着脱自在にしている。しかしながら、本発明では、回路遮断装置１を電気接続箱２以外に着脱しても良い。
【００８０】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００８１】
【図１】本発明の一実施形態に係る回路遮断装置等の斜視図である。
【図２】図１に示された回路遮断装置の平面図である。
【図３】図１に示された回路遮断装置の側面図である。
【図４】図２中のＩＶ−ＩＶ線に沿う断面図である。
【図５】図２中のＶ−Ｖ線に沿う断面図である。
【図６】図２に示された回路遮断装置のレバーが回転許容位置に位置付けられた状態を示す側面図である。
【図７】図６に示された回路遮断装置の側断面図である。
【図８】図６に示された回路遮断装置のレバーがコネクタに対し立設した状態を示す側面図である。
【図９】図８に示された回路遮断装置の側断面図である。
【図１０】図８に示された回路遮断装置が電気接続箱から取り外された状態を示す側面図である。
【図１１】図１０に示された回路遮断装置の側断面図である。
【図１２】図１に示された回路遮断装置が取り付けられた電気接続箱の斜視図である。
【図１３】図３に示された回路遮断装置の変形例の側面図である。
【図１４】図１３に示された回路遮断装置のレバーが回転許容位置に位置付けられた状態を示す側面図である。
【図１５】図１４に示された回路遮断装置のレバーがコネクタに対し立設した状態を示す側面図である。
【図１６】図１５に示された回路遮断装置が電気接続箱から取り外された状態を示す側面図である。
【符号の説明】
【００８２】
１  回路遮断装置
９  コネクタ（相手側のコネクタ）
１１  端子金具
２０  コネクタ
２１  レバー
Ｋ  コネクタと相手側のコネクタとが相対的に移動する方向
【図１】
2005203252.tif 000003
【図２】
2005203252.tif 000004
【図３】
2005203252.tif 000005
【図４】
2005203252.tif 000006
【図５】
2005203252.tif 000007
【図６】
2005203252.tif 000008
【図７】
2005203252.tif 000009
【図８】
2005203252.tif 000010
【図９】
2005203252.tif 000011
【図１０】
2005203252.tif 000012
【図１１】
2005203252.tif 000013
【図１２】
2005203252.tif 000014
【図１３】
2005203252.tif 000015
【図１４】
2005203252.tif 000016
【図１５】
2005203252.tif 000017
【図１６】
2005203252.tif 000018